【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
１又は複数の計算機によって用いられると、コミュニティーベースのターゲット広告を促進する方法を前記１又は複数の計算機に実行させるコンピュータ実行可能命令が記憶された１又は複数のコンピュータ記憶媒体であって、前記方法は、
第１のユーザーから送信された元のメッセージを受信するステップであって、前記元のメッセージは、前記元のメッセージが製品情報と前記製品情報を与える（setting forth）複数の名前・値の対とを含むという通知を提供する開始タグを含むテキストを含む、ステップと、
前記元のメッセージの意図された受信者を決定するステップと、
前記意図された受信者と関連する複数のアクティブ通信チャネルを決定するステップと、
前記意図された受信者が通信を受信することを望む通信チャネルを与える前記意図された受信者によって確立される１又は複数の規則にアクセスするステップと、
前記意図された受信者と関連する前記複数のアクティブ通信チャネルから、前記意図された受信者によって確立された前記１又は複数の規則の中の少なくとも１つに基づいて、前記意図された受信者と関連する好のましいアクティブ通信チャネルを選択するステップと、
前記元のメッセージのテキストにおける開始タグの識別子（idenfication）に基づいて、前記テキストを解析（パージング）して前記名前・値の対によって与えられる前記製品情報を識別するステップと、
前記製品情報と前記意図された受信者と関連する１又は複数の属性とに基づいて補足情報を選択するステップであって、前記属性は、前記好ましいアクティブ通信チャネルと、前記意図された受信者と関連する受信者プロファイルからアクセスされたデータとを含む、ステップと、
前記元のメッセージと前記補足情報の少なくとも一部とを組み合わせ、前記元のメッセージと前記補足情報の少なくとも一部とを含む強化（enriched）メッセージを作成するステップと、
前記強化メッセージの少なくとも一部を、前記好ましいアクティブ通信チャネルを持ちインターネット・テレビ前記意図された受信者に通信するステップと、
を含む、１又は複数のコンピュータ記憶媒体。
【請求項２】
請求項１記載の１又は複数のコンピュータ記憶媒体において、前記第１のユーザーと前記意図された受信者とはピアツーピアネットワークのメンバーである、１又は複数のコンピュータ記憶媒体。
【請求項３】
請求項１記載の１又は複数のコンピュータ記憶媒体において、前記元のメッセージはテキストメッセージと電子メールとインスタントメッセージとの中から選ばれた１つを含む、１又は複数のコンピュータ記憶媒体。
【請求項４】
請求項３記載の１又は複数のコンピュータ記憶媒体において、前記元のメッセージは簡単な文法に従って配列された１組の文字（characters）を更に含む、１又は複数のコンピュータ記憶媒体。
【請求項５】
請求項１記載の１又は複数のコンピュータ記憶媒体において、前記補足情報は少なくとも１つの広告を含む、１又は複数のコンピュータ記憶媒体。
【請求項６】
請求項５記載の１又は複数のコンピュータ記憶媒体において、前記少なくとも１つの広告はグラフィカル媒体と音声媒体と映像媒体の中の少なくとも１つによって表された販売促進用資料を含む、１又は複数のコンピュータ記憶媒体。
【請求項７】
請求項１記載の１又は複数のコンピュータ記憶媒体において、前記少なくとも１つのアクティブ通信チャネルは前記少なくとも１人の受信者と関連する少なくとも１つのプレゼンスと関連する、１又は複数のコンピュータ記憶媒体。
【請求項８】
請求項７記載の１又は複数のコンピュータ記憶媒体において、前記少なくとも１つのプレゼンスは、ネットワークサービスと電子メールサービスと携帯電話サービスとウェブサイトとの中の少なくとも１つを介するユーザー通信装置への少なくとも１つのアクティブな接続を含む、１又は複数のコンピュータ記憶媒体。
【請求項９】
請求項８記載の１又は複数のコンピュータ記憶媒体において、前記少なくとも１つのアクティブな接続は、少なくとも１つの既存のソーシャルネットワークとのインターフェイスを含む、１又は複数のコンピュータ記憶媒体。
【請求項１０】
請求項１記載の１又は複数のコンピュータ記憶媒体において、前記１又は複数の属性は前記少なくとも１人の受信者と関連する地理的位置を更に含む、１又は複数のコンピュータ記憶媒体。
【請求項１１】
コミュニティーベースのターゲット広告を促進する方法であって、
第１のユーザーを登録するステップと、
少なくとも１人の第２のユーザーを登録するステップと、
前記少なくとも１人の第２のユーザーと前記第１のユーザーとを関連付けて、ソーシャルグループを作成するステップと、
前記第１のユーザーから１又は複数の好みを受信するステップであって、前記好みはメッセージの前記少なくとも１人の第２のユーザーへの通信と関連する１又は複数の規則を含む、ステップと、
前記第１のユーザーからメッセージを受信するステップと、
補足情報を用いて前記メッセージを強化して、強化メッセージを作成するステップと、
前記強化メッセージの少なくとも一部を前記少なくとも１人の第２のユーザーに通信するステップと、
を含む、方法。
【請求項１２】
請求項１１記載の方法において、前記メッセージは製品とサービスとの少なくとも一方に関する通知を含む、方法。
【請求項１３】
請求項１２記載の方法において、前記強化メッセージは前記通知と、製品とサービスとの前記少なくとも一方の利用可能性に関する情報とを含む、方法。
【請求項１４】
コミュニティーベースのターゲット広告を容易化するように動作可能なコンピューティング装置であって、
ユーザーからメッセージを受信し、強化メッセージをユーザーに通信する入出力コンポーネントと、
強化メッセージをユーザーに通信する少なくとも１つの好ましい通信チャネルを決定するチャネル選択コンポーネントと、
補足情報を用いてメッセージを強化する広告選択コンポーネントと、
コミュニティーベースのウェブサイトを維持し、ソーシャルグループのコミュニティーの中での強化メッセージの交換を容易化するウェブサイト管理コンポーネントと、
を含む、コンピューティング装置。
【請求項１５】
請求項１４記載のコンピューティング装置において、ユーザーと関連する少なくとも１つのアクティブ通信チャネルを決定するステップは、前記ユーザーと関連する少なくとも１つの通信チャネルがアクティブであるかどうかを決定するステップと、前記ユーザーと関連する少なくとも１つの好ましい通信チャネルがアクティブであるかどうかを決定するステップと、を含むコンピューティング装置。
【請求項１６】
請求項１４記載のコンピューティング装置において、前記広告選択コンポーネントは、
ユーザーと関連する事実を含む少なくとも１つのユーザープロファイルデータベースと、
補足情報を含む少なくとも１つの情報データベースと、
前記少なくとも１つのユーザープロファイルデータベースを参照し、前記少なくとも１つの情報データベースから補足情報を選択する分析コンポーネントであって、前記補足情報はユーザープロファイルとユーザー間の通信とアクティブ通信チャネルの中の少なくとも１つに基づいて選択される、分析コンポーネントと、
を含む、コンピューティング装置。